(57)【特許請求の範囲】
【請求項１】
(イ)カウンタ部等の取付基体を挿通する状態に該取付基体に固定された取付管と、(ロ)該取付基体の下側で該取付管に接続され保持された水石けん液のタンクと、(ハ)前記取付基体の上側に配置され、水石けん液ポンプ，エアポンプの各機能を有し、前記タンク内の水石けん液をポンプ作用で揚液した上、エアを混合しムース状の水石けん液として送出する機構部を内蔵した本体部と、(ニ)該本体部に固定され、前記送出されたムース状の水石けん液を吐出する吐出管と、を有するムースディスペンサーであって、
前記取付管は内側の空間が前記水石けん液の補給通路をなしていて、前記タンクの内部と連通しているとともに、上端部が前記取付基体の上側に露出しており、該上端部に対して、該取付管とは別体に構成した前記本体部が脱着可能に連結機構にて連結してあることを特徴とするソープディスペンサー。
【請求項２】
請求項１において、前記取付管の前記上端部が前記取付基体への挿通部よりも大径のカップ状部となしてあり、該カップ状部が前記水石けん液の注ぎ口となしてあることを特徴とするソープディスペンサー。
【請求項３】
請求項１，２の何れかにおいて、前記連結機構が前記取付管の前記上端部と前記本体部とを連結状態にロックするロック部としての押ボタンを有しており、該押ボタンを押し込むことで、前記取付管と本体部との連結を解除するものとなしてあることを特徴とするソープディスペンサー。
【発明の詳細な説明】
【技術分野】
【０００１】
この発明は水石けん液とエアとを混合し、水石けん液をムース状として吐出するソープディスペンサーに関し、特にカウンタ部等の取付基体に固定状態に設置されて使用されるソープディスペンサーに関する。
【背景技術】
【０００２】
従来より、この種のソープディスペンサーが公共のトイレ等に設置され、広く使用されている。
また様々な形態のソープディスペンサーが多くの特許文献で開示されている。
例えば図１６は下記特許文献１に開示されたものの具体例を示している。
【０００３】
図において２００は取付基体としてのカウンタ部で、２０２はこのカウンタ部２００を挿通する状態に設けられた取付管であり、その下端部に水石けん液Ｌを内部に貯溜したタンク２０４が接続され、保持されている。
ここで取付管２０２の外周面には雄ねじが形成されていて、その雄ねじに固定ナット２０６が螺合され、その固定ナット２０６の締付けにより、取付管２０２がカウンタ部２００に固定されている。
【０００４】
一方カウンタ部２００の上側には水石けん液ポンプ，エアポンプの各機能を有し、タンク２０４内の水石けん液Ｌをポンプ作用で揚液した上エアを混合し、ムース状の水石けん液として送出する機構部２０８を内蔵した本体部２１０が配置されている。
そして機構部２０８にて送出されたムース状の水石けん液Ｌが、本体部２１０に固定された吐出管２１２の先端の吐出口２１４から吐出されるようにようになっている。
ここで本体部２１０は取付管２０２に一体に構成されている。
【０００５】
図１６に示すムースディスペンサーにあっては、本体部２１０を通過するようにして水石けん液Ｌの補給路２１６が、タンク２０４内部に連通する状態で設けられており、そしてその上端の注ぎ口２１８が、栓体２２０にて閉鎖されている。
この図１６に示すソープディスペンサーにおいては、栓体２２０を外して注ぎ口２１８を開放し、その状態で注ぎ口２１８に水石けん液Ｌを注ぐことで、タンク２０４への水石けん液Ｌの補給を行う。
【０００６】
しかしながらこの図１６に示すソープディスペンサーの場合、栓体２２０を取り外し、本体部２１０をそのままにして水石けん液Ｌの補給を行うものであって、本体部２１０を通るように設けられた補給路２１６が狭く且つ複雑に屈曲しており、そのため注ぎ口２１８に水石けん液Ｌを注いで、タンク２０４への水石けん液Ｌの補給を行う際に、注ぎ口２１８から注いだ水石けん液Ｌが補給路２１６の途中で泡立ちを生じてしまい、そのため水石けん液Ｌの補給を一時中断し、泡立ちが収まるまで待って補給を続行しなければならず、水石けん液Ｌの補給作業に時間がかかってしまい、また作業も面倒である問題がある。
【０００７】
カウンタ部等の取付基体に固定状態に設置されるソープディスペンサーについては、下記特許文献２，特許文献３にも開示されている。
図１７は、特許文献２に開示されたものの具体例を示したもので、この例では機構部２０８がカウンタ部２００の下側に配置され、その機構部２０８から送出されたムース状の水石けん液Ｌが、カウンタ部２００の上側に設けられた吐出管２１２の先端の吐出口２１４から吐出されるようになっている。
【０００８】
この図１７に示すソープディスペンサーにおいても、補給路２１６の上端の注ぎ口２１８が、栓体２２０にて閉鎖されるようになっており、水石けん液Ｌの補給を行う際には、この栓体２２０を取り外して注ぎ口２１８を開放し、そこに水石けん液Ｌを注入することで、タンク２０４への水石けん液Ｌの補給を行う。
また下記特許文献３にも、図１７に示したのとほぼ同様の形態のソープディスペンサーが開示されている。
【０００９】
しかしながら図１７に示すソープディスペンサーにおいても、栓体２２０を取り外し、他の部分はそのままの状態で水石けん液Ｌの補給を行うものであり、またそのために補給路２１６が狭く且つ複雑に屈曲した形状をなしていることから上記と同様の問題を生じる。
また図１７に示すソープディスペンサーの場合、機構部２０８がカウンタ部２００の下側に配置されていることから、機構部２０８が作動不良となったときの修復作業等、機構部２０８に対するメンテナンス作業をカウンタ部２００の下側に潜り込んで且つタンク２０４を取り外して行わなければならず、機構部２０８のメンテナンスの作業性が悪いといった問題も有している。
【００１０】
これに対して、図１６に示すソープディスペンサーの場合、機構部２０８がカウンタ部２００の上側に配置されていることから、機構部２０８のメンテナンス作業に際して、カウンタ部２００の下側に潜り込んで作業を行うといったことは必要でないものの、機構部２０８を内蔵した本体部２１０を単独で取り外してメンテナンスを行うことができず、メンテナンス作業性の点でなお不充分である。
【００１１】
【特許文献１】特開平８−１０３７０２号公報
【特許文献２】特開平９−２５２５９９３号公報
【特許文献３】特開平７−１７７９９９号公報
【発明の開示】
【発明が解決しようとする課題】
【００１２】
本発明は以上のような事情を背景とし、水石けん液の補給のためのメンテナンス作業が容易であり、且つタンク内の水石けん液をポンプ作用で揚液し、エアと混合してムース状の水石けん液を送出する機構部自体のメンテナンス作業も容易であるソープディスペンサーを提供することを目的としてなされたものである。
【課題を解決するための手段】
【００１３】
而して請求項１のものは、(イ)カウンタ部等の取付基体を挿通する状態に該取付基体に固定された取付管と、(ロ)該取付基体の下側で該取付管に接続され保持された水石けん液のタンクと、(ハ)前記取付基体の上側に配置され、水石けん液ポンプ，エアポンプの各機能を有し、前記タンク内の水石けん液をポンプ作用で揚液した上、エアを混合しムース状の水石けん液として送出する機構部を内蔵した本体部と、(ニ)該本体部に固定され、前記送出されたムース状の水石けん液を吐出する吐出管と、を有するムースディスペンサーであって、前記取付管は内側の空間が前記水石けん液の補給通路をなしていて、前記タンクの内部と連通しているとともに、上端部が前記取付基体の上側に露出しており、該上端部に対して、該取付管とは別体に構成した前記本体部が脱着可能に連結機構にて連結してあることを特徴とする。
【００１４】
請求項２のものは、請求項１において、前記取付管の前記上端部が前記取付基体への挿通部よりも大径のカップ状部となしてあり、該カップ状部が前記水石けん液の注ぎ口となしてあることを特徴とする。
【００１５】
請求項３のものは、請求項１，２の何れかにおいて、前記連結機構が前記取付管の前記上端部と前記本体部とを連結状態にロックするロック部としての押ボタンを有しており、該押ボタンを押し込むことで、前記取付管と本体部との連結を解除するものとなしてあることを特徴とする。
【発明の作用・効果】
【００１６】
以上のように本発明は、機構部を内蔵した本体部を取付管と別体に構成するとともに、取付管の上端部をカウンタ部等の取付基体の上側に露出した状態に取付基体に固定し、その取付管の上端部に対して本体部を脱着可能に連結機構にて連結したものである。
【００１７】
かかる本発明のソープディスペンサーにおいては、本体部を取付管から切り離し、取り外した状態で取付管を通じタンクへの水石けん液の補給を行うことができる。
この場合、水石けん液の補給路を広く確保することができるとともに、本体部を通過するように補給路を設けた場合と異なって、補給路の形状を屈曲の無い若しくは屈曲の少ない単純な形状となすことができ、従って水石けん液を補給する際に、補給路の途中で泡立ちが生じてしまって、そのことにより補給作業が困難化し、補給のために長い時間がかかってしまうといった問題を解消でき、短い時間で簡単且つ容易に水石けん液の補給を行うことが可能となる。
これにより頻繁に行う必要のある水石けん液の補給のためのメンテナンス作業性を良好とすることができる。
【００１８】
また本発明では、機構部を内蔵した本体部を吐出管ととともに取付管から切り離し、カウンタ部等の取付基体から取り外した状態で機構部、更には吐出管や吐出通路上に設けたメッシュ等の掃除や故障の修理その他のメンテナンスを行うことができ、機構部等のメンテナンス作業も従来に較べて簡単に行うことができる。
【００１９】
本発明では、上記取付管の上端部を取付基体への挿通部よりも大径且つカップ状の水石けん液の注ぎ口となしておくことができる（請求項２）。
このようにすれば、水石けん液の補給をより行い易いものとすることができる。
【００２０】
本発明では、取付管と本体部とを連結する連結機構を、ロック部としての押ボタンを有するものとなし、その押ボタンを押し込むことで、取付管と本体部との連結を解除するものとなしておくことができる（請求項３）。
このようにしておけば、工具を用いることなく素手で簡単に本体部を取付管及び取付基体から取り外し、また再びこれを取付管に連結して取付基体に固定状態となすことができ、その作業を短時間で容易に行うことができる利点が得られる。
【発明を実施するための最良の形態】
【００２１】
次に本発明の実施形態を図面に基づいて詳しく説明する。
図１において、１０は壁１２に接して設置された手洗器で、１４はボウル部、１６はその底部に設けられた排水口である。
この排水口１６には、図１（Ｂ）に示しているように排水管１７が接続され、排水口１６からの排水が排水管１７を通じて外部に排出されるようになっている。
【００２２】
手洗器１０の奥部のカウンタ部２０（取付基体）には、手洗水栓１８が図中右側位置に設置されている。
この手洗水栓１８には、図１（Ｂ）に示すように壁裏の配管に止水栓２２を介して接続された給水管２４の上端部が接続され、手洗水栓１８に対し給水管２４を通じて給水が行われるようになっている。
手洗器１０のカウンタ部２０にはまた、図中左側位置に本実施形態のソープディスペンサー２６が取り付けられている。
【００２３】
図２に、このソープディスペンサー２６の構成が示してある。
図２において、２８は取付管でカウンタ部２０に設けられた取付穴３０に下向きに挿通されている。
取付管２８は、上端部がカウンタ部２０の上側に突き出した円形のカップ状部３２とされ、そのカップ状部３２にて水石けん液の注ぎ口３５が形成されている。
このカップ状部３２はまた後述の本体部２５との連結部をなしている。
ここでカップ状部３２は、取付管２８におけるカウンタ部２０の取付穴３０への挿通部よりも大径となしてある。
一方挿通部には外周面に雄ねじが設けてあり、図４にも示しているようにその雄ねじに対してカウンタ部２０の下側で固定ナット３４が螺合されている。
そして固定ナット３４の締付けにより、取付管２８が、台座部を兼ねたカップ状部３２をカウンタ部２０に対し下向きに押し付ける状態に、ゴム製の三角パッキン３６を介してカウンタ部２０に固定されている。
【００２４】
３８は円筒状をなす第１接続部材で、上端部の内周面に雌ねじが形成されており、この雌ねじにおいて取付管２８の下端部にねじ結合にて接続されている。
そしてこの第１接続部材３８を介して、内部に水石けん液Ｌを貯留するタンク４０が脱着可能に連結されている。
詳しくは、タンク４０は図３に示しているように上端部に細径の首部４２を有しており、そしてその首部４２の上端に外向きのフランジ部４４が設けられている。
一方第１接続部材３８には、図４に示しているように対応する外向きのフランジ部４６が設けられており、それらフランジ部４４，４６を互いに重ね合せた状態で、弾性を有する結合クリップ４８の係入溝５０に係入させるようにして、タンク４０が結合クリップ４８にて第１接続部材３８に連結されている。
【００２５】
５２はタンク４０を覆うカバーで、金属調の外観を有するものとされている。
図３に示しているようにカバー５２は、タンク４０の形状に対応して首部５４と肩部５６とを有しており、タンク４０に対し図中上方から下向きに被せられて、その肩部５６がタンク４０の対応する肩部５８にて支持されている。
このカバー５２には、上下方向に長いスリット状の窓部６０が設けられており、この窓部６０を通じて、タンク４０内部の水石けん液Ｌの残量が分るようになしてある。
【００２６】
図４に示しているように、この実施形態では、ソープディスペンサー２６におけるカウンタ部２０の上側に位置する上部の全体が取付管２８から取外し可能とされている。
図５にその上部の構成が拡大して具体的に示してある。
図において２５はその上部における本体部で、水石けん液ポンプ，エアポンプの各機能を有し、上記タンク４０内の水石けん液Ｌをポンプ作用で揚液した上、エアを混合し、ムース状の水石けん液Ｌとして送出する機構部１８６がそこに内蔵されている。またこの本体部２５におけるボデー６２からは吐出管１０２が固定状態で延出している。
ホデー６２は下端部に円筒形状をなす嵌合部６４を有し、この嵌合部６４が、取付管２８のカップ状部３２に外嵌状態に嵌合され、取付管２８と本体部２５とを連結状態にロックするロック部としての押ボタン６６を有する連結機構６８にて、取付管２８に脱着可能に連結されている。
図８にこの連結機構６８の構成が具体的に示してある。
【００２７】
図８において、７０は押ボタン６６の、断面Ｌ字状をなす取付部材で、ビス７２にて取付管２８のカップ状部３２に固定されており、そしてこの取付部材７０にてガイドピン７４が嵌合状態に保持されている。
このガイドピン７４には、押ボタン６６を径方向外方に付勢する付勢部材としてのコイルスプリング７６が外挿されている。
【００２８】
コイルスプリング７６は、その一端（図中右端）を取付部材７０に当接させ、また他端（図中左端）を押ボタン６６に当接させ、押ボタン６６を径方向外方に押し出す向きに付勢している。
ここで押ボタン６６は円筒形状をなしていて、その底部にコイルスプリング７６の一端を当接せしめている。
押ボタン６６は、カップ状部３２に形成された円形の嵌合孔７８に図中左右方向に摺動可能に嵌合している。
押ボタン６６は、図中右端に外向きのフランジ状の掛止部８０を有しており、その掛止部８０がカップ状部３２の嵌合孔７８周りの部分に掛止することで、カップ状部３２から抜け防止されている。
【００２９】
押ボタン６６は、コイルスプリング７６の図中左向きの付勢力によって、通常時には掛止部８０がカップ状部３２に掛止する状態に図中左向きに突出した状態にある。
この状態で押ボタン６６は、図５に示しているようにボデー６２の円筒部６４に形成された嵌合孔８２に対しても嵌合しており、そして押ボタン６６と嵌合孔８２との嵌合に基いて、本体部２５が取付管２８に対し抜止状態に連結されている。
一方でこの押ボタン６６を図中右向きに押し込むと、押ボタン６６による連結ロック作用が解除され、ここにおいてボデー６２が、即ち本体部２５が図中上方に取付管２８から取外し可能となる。
【００３０】
図４にも示しているようにボデー６２には、その中心部に下向きに突出する円筒部８４が一体に形成されており、そこに円筒状をなす第２接続部材８６がねじ結合にて取り付けられている。
この第２接続部材８６には、下向きに突出する細径の円筒形状の挿込口８８が一体に構成されており、そしてそこに可撓性を有する水石けん液Ｌの吸上チューブ（液チューブ）９０の上端部が挿込接続されている。
吸上チューブ９０は、図２に示しているように下端をタンク４０内部の水石けん液Ｌに浸漬させており、タンク４０内の水石けん液Ｌは、この吸上チューブ９０の内部を図中上向きに吸い上げられる。
尚この吸上チューブ９０の下端には異物除去のためのストレーナ９２が設けられている。
【００３１】
また一方上記の第２接続部材８６には、図５にも示しているように水石けん液Ｌの吸上方向の流れのみを許容し、逆方向の流れを阻止するボール弁から成る逆止弁９４が、水石けん液Ｌの液通路上に設けられている。
第２接続部材８６にはまた、逆止弁９４の上昇端を規定するストッパ９６がねじ結合により取り付けられている。
このストッパ９６は、ボール弁から成る逆止弁９４が一定距離上昇したところで、これを当接させて更なる上昇を阻止するもので、このストッパ９６には、図５に示しているようにこれを上下に貫通する複数の（ここでは３つの）貫通孔９８が、ストッパ９６の中心から径方向に離れた位置に且つ周方向に１２０°ごと隔たった３個所（図６（Ｂ）参照）に設けられている。
【００３２】
従って逆止弁９４が上昇してストッパ９６に当接しても、貫通孔９８は逆止弁９４にて閉鎖されることはなく、吸上チューブ９０を通じて上向きに吸い上げられた水石けん液Ｌは、この貫通孔９８を通じて上方に流通可能である。
図２及び図４に示しているように、第２接続部材８６と第１接続部材３８とは玉鎖１００にて互いに繋がれている。
【００３３】
本実施形態では、カウンタ部２０の上側に位置する上部の全体が、取付管２８から取外し可能であることから、悪戯等により上部の全体が持ち去られないように、この玉鎖１００にて上部の本体部２５と、カウンタ部２０の下側の部分とが盗難防止用に互いに繋がれている。
ここでは盗難防止用として玉鎖１００を用いているが、通常のワイヤーその他強度を有する可撓性の線材にて本体部２５と下部とを互いに繋いでおくことも可能である。
【００３４】
図２に示しているように、ボデー６２には吐出管１０２が固定状態に取り付けてある。
この吐出管１０２は、ムース状の水石けん液Ｌを先端の吐出口１０４から吐出するもので、図５に示すようにその基端部には円筒状の嵌込部１０５が設けられており、その嵌込部１０５を、ボデー６２の嵌込穴１０６に嵌め込む状態にボデー６２に脱着可能に取り付けてある。
ここで嵌込部１０５は止ねじ１０８にてボデー６２に固定されており、従って止めねじ１０８を緩めることで、嵌込部１０５をボデー６２の嵌込穴１０６から抜出可能である。
その嵌込部１０５の外周面には凹部１１０が形成されており、止ねじ１０８は、先端部をその凹部１１０に挿入させるようになっている。
この実施形態において、吐出管１０２は、ボデー６２を取付管２８から図中上向きに切り離した後、止ねじ１０８を雌ねじ孔１１２の下端の開口を通じて緩めることで、ボデー６２から抜出可能である。
【００３５】
この嵌込部１０５の内周側には、円筒状のメッシュ部材１１４が保持されている。
メッシュ部材１１４は、軸方向の両端にメッシュ１１６を保持しており、水石けん液Ｌとエアとがここを通過する過程で、そのメッシュ１１６により水石けん液Ｌとエアとの混合が促進される。
【００３６】
図５に示しているようにボデー６２は、中心部に断面円形の上下方向の貫通穴を有しており、そしてその下部に、吸上チューブ９０を通じて吸い上げられた水石けん液Ｌを所定量一時的に貯留する液室１１８を内部に形成する、水石けん液Ｌ用の液シリンダ１２０が一体に構成され、またその上部に、内部にエア室１２２を形成するエアシリンダ１２４が一体に構成されている。
そしてその液シリンダ１２０に、水石けん液Ｌ用の液ピストン１２６が上下に摺動可能に嵌合され、またエアシリンダ１２４に、逆カップ状をなすエアピストン１２８が上下に摺動可能に嵌合されている。
【００３７】
この液ピストン１２６の下端部の外周面には、液ピストン１２６と液シリンダ１２０との間をシールするシール部材としてのＯリング１３０が、液ピストン１２６と一体移動する状態に保持されており、またその上側において、液ピストン１２６の外周面とボデー６２の内周面との間には、図６（Ａ）にも示しているように円筒状の隙間が形成されていて、その円筒状の隙間が水石けん液Ｌとエアとを混合する混合室１３２を成している。
【００３８】
そして液ピストン１２６には、上記の液室１１８とこの混合室１３２とを連通させ、液室１１８内の水石けん液Ｌを混合室１３２に流出させる液流出通路１３４が、液ピストン１２６を貫通して形成されている。
ここで液流出通路１３４は、図中上下方向の軸方向の通路と、その上端から径方向に直角に折れ曲った径方向の通路とからなっている。
この液流出通路１３４上には、液室１１８から混合室１３２に向う水石けん液Ｌの流れのみを許容し逆方向の流れを阻止する、ボール弁から成る一方向性の逆止弁１３６が設けられている。
ここで円筒状をなす混合室１３２は、ボデー６２に形成された連通路１３８を介して、上記の吐出管１０２の内部に連通せしめられている。
【００３９】
図５において、１４０は液ピストン１２６の駆動軸であって図中上下方向に延びており、下部に断面円形の大径部１４２を有している。
この大径部１４２の外周面にはシール部材としてのＯリング１４４が保持されており、このＯリング１４４を介して大径部１４２の外周面がボデー６２の内周面に摺動可能に嵌合されている。
【００４０】
この駆動軸１４０の下端部は、液ピストン１２６の上部に下向きに嵌入されており、そしてその嵌入部分が、液ピストン１２６に対して結合ピン１４６にて結合され、液ピストン１２６と駆動軸１４０とが図中上下に一体移動するようになしてある。
【００４１】
この実施形態において、上記円筒状をなす混合室１３２は、この大径部１４２に保持されたＯリング１４４と、液ピストン１２６の下端部に保持されたＯリング１３０との間の位置に形成されている。
尚１４８は、ボデー６２の中心の貫通孔の上端を閉鎖するキャップで、ボデー６２に対して下向きにねじ結合され、取り付けられている。
【００４２】
１５０は、ボデー６２に対して図中上下方向に移動可能に設けられた押ボタン式の操作部で、円形の逆カップ状をなしている。
操作部１５０は、周壁部１５２と上壁部１５４とを有していて、その上壁部１５４に対し、上記の駆動軸１４０の上端部が固定ねじ１５６にて固定されている。
ここで駆動軸１４０の上端部には、周方向に沿って円形の環状溝１５８が形成されていて、そこに固定ねじ１５６の先端部が係入されている。
【００４３】
操作部１５０は、周壁部１５２とボデー６２との間に円形の環状の隙間を形成しており、その隙間が、外部の空気を内部に吸入するための吸気部１６０とされている。
操作部１５０にはまた、上記のエアピストン１２８が図７に示しているように固定ねじ１６２にて固定されており、かかるエアピストン１２８が駆動軸１４０、即ち液ピストン１２６とともに操作部１５０と一体に図中上下方向に移動するようになしてある。
【００４４】
上記エアシリンダ１２４と、このエアピストン１２８との内側に形成されるエア室１２２には、付勢手段としてのコイルスプリング１６４が収容されている。
コイルスプリング１６４は、下端をボデー６２に当接させ、また上端をエアピストン１２８に当接させて、その付勢力をエアピストン１２８を介して操作部１５０に上向きに及ぼしている。
従って操作部１５０は、通常時はそのコイルスプリング１６４の上向きの付勢力によって、上向きに押し上げられた状態にある。
【００４５】
エアピストン１２８は、下端部且つ外周側にシール部材としてのゴム製の断面Ｕ字形状をなすＵパッキン１６６を保持しており、このＵパッキン１６６を介して、エアピストン１２８がエアシリンダ１２４に図中上下方向に摺動可能に気密に嵌合されている。
【００４６】
エアシリンダ１２４とエアピストン１２８との内側に形成される上記のエア室１２２は、断面Ｌ字状をなす形態でボデー６２に設けられたエア流出通路１６８を介して、上記の円筒状をなす混合室１３２と連通せしめられている。
エア室１２２内のエアは、エアピストン１２８の押込みによりこのエア流出通路１６８を通じて混合室１３２へと流出せしめられる。
【００４７】
尚、図６（Ａ）に示しているようにエア流出通路１６８の末端のエア流出口１７０はボデー６２の内周面で開口しており、エア流出通路１６８を通じて押し出されたエアは、このエア流出口１７０から液ピストン１２６の外周面に突き当たった後、その液ピストン１２６の外周面に沿って周方向及び軸方向（上下方向）に向きを変化しながら混合室１３２へと流れ込む。
【００４８】
図５の部分拡大図に示すようにこのエア流出通路１６８上には、エア室１２２から混合室１３２へのエアの流通を許容し、逆方向の流れを阻止する逆止弁１７２が設けられている。
逆止弁１７２はダックビル弁と称するもので、くちばし形状の弁部１７４を有しており、エア室１２２から混合室１３２へとエアが流れるときにはくちばし状の弁部１７４を開いてエアの通過を許容し、また逆方向の流れに対しては、くちばし状の弁部１７４を閉じてその逆方向の流れを阻止する。
この逆止弁１７２は、取付部材１７６にてボデー６２に取り付けられている。
ここで取付部材１７６は円筒状をなしていて、外周面の雄ねじにおいてボデー６２の雌ねじにねじ結合されている。
【００４９】
上記エアピストン１２８には、図５の部分拡大図に示しているようにその上壁部にエア通路の一部をなす貫通孔１７８が形成されており、吸気口１６０から吸入されたエアが、この貫通孔１７８を通じてエア室１２２へと流入するようになしてある。
そしてこのエアピストン１２８の上壁部には、エア室１２２に向うエアの流れのみを許容し、逆方向の流れを阻止する逆止弁１８０が設けられている。
【００５０】
ここで逆止弁１８０はアンブレラ弁と称されるもので、図５の部分拡大図に示すように軸部１８４にてエアピストン１２８の上壁部に取り付けられ、エアがエア室１２２に向うときには傘状の弁部１８２を下向きに開いてエアの流れを許容し、また逆方向の流れに対しては弁部１８２が貫通孔１７８を閉じてエアの流れを阻止する。
【００５１】
尚、本体部２５に内蔵された上記機構部１８６は、液シリンダ１２０，液ピストン１２６，エアシリンダ１２４，エアピストン１２８を要素として含み、ポンプ作用でタンク４０内の水石けん液Ｌを吸い上げて混合室１３２へと流出させ、また併せてポンプ作用にて外部のエアを吸入して混合室１３２へと流出させ、それらを混合させて水石けん液Ｌをムース状化し、吐出管１０２側へと送出する。
【００５２】
次に本実施形態の作用を図９〜図１１に基いて以下に説明する。
図９は、液シリンダ１２０の内側の液室１１８に所定量の水石けん液Ｌが一時的に貯留された状態を表しており、この状態で操作部１５０を下向きに押し込むと、図１０に示しているように液ピストン１２６が駆動軸１４０を介して下向きに押し込まれ、これにより液室１１８内の水石けん液Ｌが、液ピストン１２６を貫通して形成された液流出通路１３４を通じ、逆止弁１３６を押し開いて混合室１３２へと流出する。
尚、液流出通路１３４の末端の液流出口１３５は、当初は図９（I）に示すように上記のエア流出通路１６８の末端のエア流出口１７０及び連通路１８よりも上方に位置している。
【００５３】
一方エアピストン１２８は、操作部材１５０の下向きの押込みにより、液ピストン１２６と一体に下向きに移動し、これによりエア室１２２内のエアが、エア流出通路１６８を通じて逆止弁１７２の弁部１７４を押し開きながら、混合室１３２へと勢い良く流出する。
【００５４】
このときエア流出通路１６８の末端のエア流出口１７０から混合室１３２へと勢い良く流出したエアは、先ず液ピストン１２６の外周面に突き当った後、その外周面に沿って周方向及び軸方向に流れ、そのときの流れの向きの変化によって混合室１３２内で不規則なエアの流れを生ぜしめ、そしてそのことによって、更には混合室１３２が広い混合空間を有していることによって、混合室１３２内で水石けん液Ｌに対してエアが十分に撹拌混合され、そこで水石けん液Ｌが良好にムース状化される。
【００５５】
この実施形態では、混合室１３２が同じ上下方向長を保ちながら、その全体が液ピストン１２６の移動に連れて下向きに移動する。即ち位置固定状態に設けられたエア流出口１７０が、混合室１３２に対して図中下側から上側に向って相対移動し、エアの流出位置を、混合室１３２に対し下端から上端に向って相対的に漸次変化させて行く。
【００５６】
そしてこのようにしてムース状化された水石けん液Ｌが吐出管１０２へと押し出され、更にその内部の吐出通路を通じ流通した上で、先端の吐出口１０４から手洗器１０のボウル部１４に向けて吐出される。
【００５７】
尚混合室１３２内部の水石けん液Ｌとエアとの混合体が吐出管１０２へと流れ込む際、その途中に設けられたメッシュ部材１１４のメッシュ１１６によって、即ちそこを水石けん液Ｌとエアとの混合体が通過することで気液混合、即ち水石けん液Ｌのムース状化がより一層促進される。
【００５８】
以上のようにして操作部１５０を押込端まで一杯に押し込み、所定量のムース状化した水石けん液Ｌを吐出した後、操作部１５０に加えていた力を除くと、ここにおいて操作部１５０がコイルスプリング１６４の付勢力によって図中上向きに押し上げられ、そしてこれと一体に液ピストン１２６及びエアピストン１２８が上昇せしめられる。
【００５９】
このとき、吸気口１６０から外部の空気が逆止弁１８０を押し開きながらエア室１２２へと流入し、新たな空気がエア室１２２に供給される。
また同時に、液ピストン１２６の上昇により発生した負圧によって、図１１に示しているようにタンク４０内の水石けん液Ｌが吸上チューブ９０を通じ逆止弁９４を押し開きながら、液シリンダ１２０の内側の液室１１８に吸い上げられ、そこに一時的に貯留される。
【００６０】
図２，図４，図５，図９〜図１１に示しているように、この実施形態では液シリンダ１２０，液ピストン１２６，エアシリンダ１２４，エアピストン１２８，駆動軸１４０，吸上チューブ９０，円筒状を成す混合室１３２，操作部１５０がすべて同軸状に配置されており、また駆動軸１４０，液ピストン１２６，第２接続部材８６，吸上チューブ９０がすべて上下の同一直線（軸線）上に設けられ、そして更にその直線上において逆止弁１３６，９４が設けられている。
【００６１】
本実施形態においては、図１５に示しているように本体部２５，吐出管１０２の全体即ち上部が吸上チューブ９０とともに全体的に取外し可能であることから、同図に示しているようにその上部を取り外した状態の下で、タンク４０への水石けん液Ｌの補給をカウンタ部２０の上側で行うことができる。
【００６２】
このとき上部即ち本体部２５の取外しは次のようにして行うことができる。即ち、連結機構６８における押ボタン６６を図２及び図８中右向きに押し込み、これにより押ボタン６６による連結ロックを解除した上、本体部２５を図中上方に持ち上げることで、本体部２５の取外しを行なうことができる。
そして本体部２５を取り外した状態で、水石けん液Ｌをカップ状部３２の注ぎ口３５に注ぎ込むことで、タンク４０への水石けん液Ｌの補給を容易に行うことができる。
【００６３】
また補給を終えた後、押ボタン６６を押し込みながら、本体部２５におけるホデー６２の円筒部６４をカップ状部３２に下向きに嵌め合せ、そして円筒部６４の嵌合孔８２を押ボタン６６に対向させ、押ボタン６６を嵌合孔８２に嵌入させることで、簡単に本体部２５を再び取付管２８に連結状態とすることができる。
即ち本体部２５及び吐出管１０２を含む上部の全体を、再びカウンタ部２０上に固定状態とすることができる。
【００６４】
次に図１２は本発明の他の実施形態を示している。
上記実施形態では、液ピストン１２６の下端部に、混合室１３２をシールするためのＯリング１３０を設けているが、この実施形態ではこれに代えて、底部に開口１８８を有する弾性材製の、ここではゴム製のカップ状のシール部材１９０を本体部６２に固定状態に設け、そしてこのシール部材１９０に対して、液ピストン１２６を下向きに嵌入させるようになしている。
【００６５】
図１３に拡大して示しているように、カップ状をなすシール部材１９０は、本体部６２に形成した段付形状の嵌込凹部１９２に嵌め込まれ、その嵌込凹部１９２にて上下方向の移動が阻止されている。
またシール部材１９０は、内周側の部分を本体部６２の内周面よりも僅かに径方向内向きに突出させる状態で本体部６２に取り付けられている。
【００６６】
この実施形態では、操作部１５０を下向きに押し込んで液ピストン１２６を下降させる際、これに伴って混合室１３２の上下方向長が漸次短くなって行く。
詳しくは、混合室１３２を液密にシールする上側のＯリング１４４が液ピストン１２６と一体に下向きに移動する一方で、混合室１３２をシールする下側のカップ状のシール部材１９０が位置固定であり、即ち混合室１３２の上端は液ピストン１２６の下向きの押込みに連れて一体に下向きに移動する一方で、混合室１３２の下端は位置が固定であり、そのため混合室１３２は液ピストン１２６の下向きの移動に連れて、その上下方向長を漸次短くして行く（図１４参照）。
従ってこの実施形態では、混合室１３２内の水石けん液Ｌが、液ピストン１２６の下向きの移動に連れて漸次混合室１３２内で上向きに追い込まれて行く。
【００６７】
尚混合室１３２へとエアを流出させるエア流出口１７０は位置固定であり、且つ液ピストン１２６の押込端でこのエア流出口１７０が混合室１３２の上端に位置するようにエア流出口１７０の位置が予め定めてある（この点は上記第１の実施形態でも同様）。
上記第１の実施形態では、混合室１３２内の水石けん液Ｌの全体が液ピストン１２６と一体に下降して行くため、液ピストン１２６の押込みの末期に水石けん液Ｌに対してエアの比率が過大となり、操作部１５０の押込みの末期で吐出管１０２からエアリッチの水石けん液Ｌのムースが吐出してしまう問題を生ずる。
【００６８】
しかるにこの実施形態によれば、混合室１３２内の水石けん液Ｌが、液ピストン１２６の下降に伴って混合室１３２の上端側へと追い込まれて行くため、液ピストン１２６の押込端でエア流出口１７０からのエアの吹込量に対し混合室１３２内の水石けん液Ｌの量の比率が過少となってしまうのを有効に防止でき、従って本実施形態によれば、吐出管１０４からの水石けん液Ｌのムースの吐出末期にエアリッチの、泡が過剰となったムースが吐出されてしまう不具合を解消でき、吐出末期に到るまで水石けん液Ｌに対してエアが適正な比率で混合した、状態の良質なムースを吐出管１０２から吐出することができる。
【００６９】
以上のような本実施形態のソープディスペンサー２６においては、図１５に示しているように本体部２５を取付管２８から切り離し、取り外した状態で取付管２８を通じタンク４０に水石けん液Ｌの補給を行うことができる。
この場合、取付管２８の内側に形成される水石けん液Ｌの補給路１８４を広く確保することができるとともに、かかる補給路１８４を本体部を通過するように設けた場合と異なって屈曲の無い直線形状となしておくことができ、従って水石けん液Ｌを補給する際に、補給路１８４の途中で泡立ちが生じてしまって、そのことにより補給作業が困難化し、補給のために長い時間がかかってしまうといった問題を解消でき、短い時間で簡単且つ容易に水石けん液Ｌの補給を行うことが可能となる。
これにより頻繁に行う必要のある水石けん液Ｌの補給のためのメンテナンス作業性を良好とすることができる。
【００７０】
また本実施形態では、機構部１８６を内蔵した本体部２５を吐出管１０２ととともに取付管２８から切り離し、カウンタ部２０等から取り外した状態で機構部１８６、更には吐出管１０２や吐出通路上に設けたメッシュ等の掃除や故障の修理その他のメンテナンスを行うことができ、機構部１８６等のメンテナンス作業も従来に較べて簡単に行うことができる。
【００７１】
更に本実施形態では取付管２８の上端部をカップ状部３２となして、そこに取付穴３０よりも大径の注ぎ口３５を形成してあるため、水石けん液Ｌの補給を一層容易に行うことができる。
【００７２】
また本実施形態では、取付管２８と本体部２５とを連結する連結機構６８をロック部としての押ボタン６６を有するものとなし、その押ボタン６６を押し込むことで、取付管２８と本体部２５との連結を解除するものとなしてあるため、工具を用いることなく素手で簡単に本体部２５を取付管２８及びカウンタ部２０から取り外し、また再びこれを取付管２８に連結してカウンタ部２０に固定状態となすことができ、その作業を短時間で容易に行うことができる。
【００７３】
以上本発明の実施形態を詳述したがこれはあくまで一例示であり、本発明はその趣旨を逸脱しない範囲において種々変更を加えた形態で構成可能である。
【図面の簡単な説明】
【００７４】
【図１】本発明の一実施形態のソープディスペンサーを手洗器に取り付けた状態で示した図である。
【図２】同実施形態のソープディスペンサーの全体構成を示す断面図である。
【図３】同実施形態におけるタンク及びカバーの構成を示した図である。
【図４】同実施形態のソープディスペンサーを、取付管から本体部を取り外した状態で示した図である。
【図５】同実施形態におけるカウンタ部上側の上部構成を拡大して示した断面図である。
【図６】（Ａ）：図５のアーア部の断面図である。（Ｂ）：図５のイーイ部の断面図である。
【図７】同実施形態における上部の要部を示した断面図である。
【図８】同実施形態における連結機構の構成を示した図である。
【図９】同実施形態の作用説明図である。
【図１０】図９に続く作用説明図である。
【図１１】図１０に続く作用説明図である。
【図１２】本発明の他の実施形態のソープディスペンサーの図である。
【図１３】図１２の要部を拡大して示した図である。
【図１４】同実施形態の作用説明図である。
【図１５】各実施形態の利点の説明図である。
【図１６】ソープディスペンサーの従来例を示した図である。
【図１７】図１６とは異なるソープディスペンサーの従来例を示した図である。
【符号の説明】
【００７５】
２０  カウンタ部（取付基体）
２５  本体部
２６  ソープディスペンサー
２８  取付管
３２  カップ状部
３５  注ぎ口
４０  タンク
６６  押ボタン
６８  連結機構
１０２  吐出管
１８４  補給路
１８６  機構部
Ｌ  水石けん液
【図１】
0004979603.tif 000002
【図２】
0004979603.tif 000003
【図３】
0004979603.tif 000004
【図４】
0004979603.tif 000005
【図５】
0004979603.tif 000006
【図６】
0004979603.tif 000007
【図７】
0004979603.tif 000008
【図８】
0004979603.tif 000009
【図９】
0004979603.tif 000010
【図１０】
0004979603.tif 000011
【図１１】
0004979603.tif 000012
【図１２】
0004979603.tif 000013
【図１３】
0004979603.tif 000014
【図１４】
0004979603.tif 000015
【図１５】
0004979603.tif 000016
【図１６】
0004979603.tif 000017
【図１７】
0004979603.tif 000018